(57)【要約】      （修正有）【課題】筆記具の見やすい位置に二次元コードを設けることを可能とし、且つ必要に応じて二次元コードを筆記具から取り外すことが可能である二次元コード付の筆記具を提供する。【解決手段】外側面にクリップ３ａを付設した筆記具１において、クリップ３ａに係止受部を設け、クリップの巾Ｓより巾広で表面が平らな表面板４ａの裏側に係止突部を形成した表示部材４を、クリップの係止受部へ着脱可能に装着し、且つ表示部材４の表面板４ａの表面に二次元コード５を設ける。【選択図】図２
0003169004.tif 000002
【実用新案登録請求の範囲】
【請求項１】
外側面にクリップを付設した筆記具において、前記クリップに係止受部を設け、前記クリップの巾より巾広で表面が平らな表面板の裏側に係止突部を形成した表示部材を、前記クリップの係止受部へ着脱可能に装着し、且つ前記表示部材の表面板の表面に二次元コードを設けたことを特徴とする二次元コード付の筆記具。
【考案の詳細な説明】
【技術分野】
【０００１】
本考案は、二次元コード付の筆記具に関するものである。
【背景技術】
【０００２】
従来より筆記具は多くの人に使われる機会が多いことから、企業名や団体名等の印刷、いわゆる名入れを施してノベルティとして利用されることが多い。また最近では、各企業や各団体でインターネット上のホームページを有することが多く、名入れとしてホームページのアドレスを筆記具に印刷する場合も多い。また近年では、ＱＲコード（登録商標）等の、明暗模様の単位セルがマトリックス状に配置された二次元コードが知られており、この二次元コードに、ホームページのアドレス情報を入れたものが多く利用されている。
また近年の携帯電話には、二次元コードの読み取り機能やインターネット機能がついたものが多くなっており、ホームページのアドレス情報が入った二次元コードを、携帯電話の二次元コードの読み取り機能を用いて読み取り、読み取ったアドレスにてそのままインターネットのホームページにアクセスするといったことを容易に行うことができるようになっている。したがって二次元コードは、ホームページのアドレスを入力するといった手間を省略することができる利便性があることから、この二次元コードを筆記具に名入れできるようにすることが求められている。
【０００３】
一方、名入れとして用いられることが多い筆記具は、寸法的に小さく軸筒が曲面になっていることから、二次元コードとしての機能を考慮すると印刷箇所や印刷精度に配慮する必要があり、デザインを考慮して二次元コードを小さくし過ぎた場合には、携帯電話の読み取り機能に不具合を生じさせ、また軸筒の軸径が小さい筆記具では、軸筒の曲面に沿って丸まった二次元コードが読み取りできないことがあった。また筆記具におけるクリップは、名入れをした場合に見やすい部分であることから、実開平７−１２２８９号公報に見られるように名入れを施す部分としては好ましいのだが、前述した二次元コードの印刷に関しては、クリップの巾が狭いことから、印刷できる二次元コードの寸法が小さくなってしまい、読み取りに不具合が生じる虞があった。また二次元コード自体は、企業名や団体名等と異なって見た目的にそれが何を示しているかわからないものであり、あるいは一度読み取ってインターネットのホームページ等にアクセスしてしまった後には、不要となることがあり、その際には二次元コードを筆記具から取り除けることが求められる場合もあるが、軸筒やクリップに印刷した二次元コードを擦って除去することは困難なことであった。
【先行技術文献】
【特許文献】
【０００４】
【特許文献１】実開平７−１２２８９号公報
【考案の概要】
【考案が解決しようとする課題】
【０００５】
本考案は、筆記具の見やすい位置に二次元コードを設けることを可能とし、且つ必要に応じて二次元コードを筆記具から取り除くことが可能な二次元コード付の筆記具を提供することを目的とする。
【課題を解決するための手段】
【０００６】
本考案は、
「外側面にクリップを付設した筆記具において、前記クリップに係止受部を設け、前記クリップの巾より巾広で表面が平らな表面板の裏側に係止突部を形成した表示部材を、前記クリップの係止受部へ着脱可能に装着し、且つ前記表示部材の表面板の表面に二次元コードを設けたことを特徴とする二次元コード付の筆記具。」である。
【０００７】
表示部材をクリップに装着する方法としては、表示部材の表面板の裏側に係止突起を形成すると共にクリップに係止孔を形成して係止突起を係止孔に嵌着させる方法や、表示部材の表面板の裏側に二つの向い合う鉤状の係止突起を形成すると共にクリップの側面を係止受部として抱持させる方法などがあるが、特にその方法に限定はなく、使用者が必要に応じて着脱できる係止構造を適宜採用すればよい。また二次元コードは、表示部材の表面に対して直接印刷したり、二次元コードを印刷した粘着シールを貼付けたり、あるいは表示部材の表面に二次元コードを刻印することで設けることもできる。
【考案の効果】
【０００８】
本考案では、筆記具において、名入れが見やすい場所となるクリップに、クリップの巾より広い巾の表示部材を係止し、その表示部材に二次元コードを設けることから、細巾のクリップであっても、二次元コードを読み取りやすい状態で備えることができるものとなり、またクリップから表示部材を取り外すことで、二次元コードを筆記具から簡単に除去することができるものとなった。
【図面の簡単な説明】
【０００９】
【図１】図１は本実施例の二次元コード付の筆記具の斜視図である。
【図２】図２は図１の要部拡大図である。
【図３】図３はクリップに表示部材を装着する状態を示す図である。
【図４】図４は比較例の図である。
【考案を実施するための形態】
【００１０】
筆記具の見やすい位置に二次元コードを設け、必要に応じて二次元コードを筆記具から除去することが可能な二次元コード付の筆記具を実現した。
【実施例】
【００１１】
次に図面を参照しながら本実施例の説明を行う。図中の同じ部材、同じ部品については、同じ符号としてある。本実施例では筆記具としてキャップ式ボールペンを例にあげて述べるが、本考案は以下の実施例に限定されるものではない。
【００１２】
図１および図２に示すように、ボールペン１は、軸筒２の前方にキャップ３を装着してあり、キャップ３に形成したクリップ３ａに、表面が平らで巾寸法Ｌがクリップ３ａの巾寸法Ｓの三倍である表示部材４を装着してある。また、表示部材４の表面板４ａには、二次元コード５を印刷してある。
【００１３】
次に図３を用いて、表示部材４をクリップ３ａに取り付ける際について説明を行う。本実施例の表示部材４とクリップ３ａとは、表面版４ａの裏側に突設した係止突部４ｂをクリップ３ａの先端側に係止受部として穿孔した係止孔３ｂに挿通させると共に、係止突起４ｂの先端に形成した返し部４ｃをクリップ３ａの裏面に当接させることで、図１および図２に示すように表示部材４をクリップ３ａに装着してある。この状態の二次元コード５を、携帯電話の二次元コードの読み取り機能を用いて読み取ったところ、二次元コード５に付与してあるホームページのアドレス情報が入手でき、さらに携帯電話のインターネット機能を用いてホームページの閲覧を容易に迅速に行うことができた。
【００１４】
図４の比較例のボールペン１０は、二次元コード５０をクリップ３ａに直接印刷してあり、クリップ３ａの巾寸法Ｓが狭いことから、二次元コード５０の寸法Ｎは、図１に示す二次元コード５の寸法Ｍの半分の大きさのものとなり、二次元コード５０の印刷には高い精度が要求されて製造時の手間が掛ると共に、携帯電話の二次元コードの読み取りが、図１の二次元コード５の読み取りに比較して劣っていた。
【産業上の利用可能性】
【００１５】
本考案の二次元コード付筆記具の構造は、クリップ付の化粧具や塗布具等に採用することが可能である。
【符号の説明】
【００１６】
１…ボールペン、１０…ボールペン、２…軸筒、
３…キャップ、３ａ…クリップ、３ｂ…係止孔、Ｓ…巾寸法、
４…表示部材、４ａ…表面板、４ｂ…係止突部、Ｌ…巾寸法、
５…二次元コード、寸法…Ｍ、
５０…二次元コード、寸法…Ｎ。
【図１】
0003169004.tif 000003
【図２】
0003169004.tif 000004
【図３】
0003169004.tif 000005
【図４】
0003169004.tif 000006